(57)【特許請求の範囲】
【請求項１】
スラブを貫通する第１と第２の開口（２４、３４）間のスラブ（１４）の下にケーブル（２８）を配置する方法であって、
第１の開口（２４）を通してスラブ（１４）の下に標的（４２）を下ろし、標的を第２の開口（３４）の方へ回転させる段階と、
第２の開口（３４）を通してスラブ（１４）の下に銃（３８）を下ろし、銃を標的（４２）の方へ回転させる段階と、
銃（３８）から、ケーブル（２８）又はケーブルに接続することができる麻ロープ（４４）に取り付けられた発射体（４０）を発射する段階であって、この発射体が標的（４２）によって捕捉される段階と、
標的（４２）を第１の開口（２４）を通してスラブ（１４）の上方に持ち上げ、ケーブル又は麻ロープを外す段階
を含むことを特徴とする方法。
【請求項２】
前記標的（４２）が網（５０）を支持する枠（４８）を備え、前記発射体が銛（４０）である、請求項１に記載の方法。
【請求項３】
前記標的（４２）が堅い垂直の棒（５２）によって支持体（５４）からつり下げられ、該支持体（５４）が前記第１の開口（２４）の周囲でスラブ（１４）の上面と接触するまで前記標的（４２）が下ろされる、請求項１又は２に記載の方法。
【請求項４】
前記標的（４２）の向きが、前記標的（４２）を支持する前記棒（５２）をその中心線を中心に前記支持体（５４）に対して回転させることによって定められる、請求項３に記載の方法。
【請求項５】
前記標的（４２）の向きが、前記棒（５２）のスラブ（１４）よりも上の部分に固定された矢印を、スラブの上方に配置され中心が前記棒（５２）上にある固定水平ダイヤルの、前記第２の開口（３４）の方向を指示する目盛と一致させることによって定められる、請求項３又は４に記載の方法。
【請求項６】
標的（４２）が、前記第１の開口（２４）の上方に位置するウィンチ（５８）に接続された吊り帯（５６）によって下ろされる、請求項１から５のいずれか一項に記載の方法。
【請求項７】
前記銃をスラブ（１４）の下に下ろした後に前記発射体（４０）を前記銃（３８）に装填する、請求項１から６のいずれか一項に記載の方法。
【請求項８】
前記第２の開口（３４）を貫通する装着ダクト（８２）を通して、垂直に挿入することによって前記銃（３８）が上部から装着される、請求項７に記載の方法。
【請求項９】
前記第１及び第２の開口（２４、３４）間の距離に少なくとも等しい長さの麻ロープ（４４）又はケーブル（２８）が発射前に、前記第２の開口（３４）の上方に配置された巻取機（４６）からほどかれる、請求項１から８のいずれか一項に記載の方法。
【請求項１０】
前記長さの麻ロープ（４４）又はケーブル（２８）が前記銃（３８）の下に配置されたボウル（８７）の中にほどかれる、請求項９に記載の方法。
【請求項１１】
ストップ（８６）と接触するまで前記銃を下げることによって前記銃（３８）を予め調整した仰角まで回転させ、前記第２の開口（３４）を通る垂直軸を中心に前記銃を旋回させることによって前記銃（３８）を回転させ適当な方位角に合わせる、請求項１から１０のいずれか一項に記載の方法。
【請求項１２】
スラブ（１４）の上方の銃の旋回軸に固定された針を、スラブの上方に水平に固定され中心がこの旋回軸上にある第２のダイヤルの、前記第１の開口（３４）の方向を指示するマークと一致させることによって前記銃（３８）を回転させ適当な方位角に合わせる、請求項１１に記載の方法。
【請求項１３】
前記発射体（４０）を麻ロープ（４４）に取り付け、発射体を外した後に麻ロープのもう一端を、配置するケーブル（２８）の第１端に取り付け、ケーブルの第１端が回収されるまで麻ロープ（４４）を前記第１の開口を通して引っ張る、請求項１から１２のいずれか一項に記載の方法。
【請求項１４】
ケーブル（２８）のもう一端を、前記第２の開口（３４）の上方に位置するウィンチ（３２）に固定する、請求項１３に記載の方法。
【発明の詳細な説明】
【０００１】
（技術分野）
本発明は、スラブの下での人間の介入なしに、スラブを貫通する２つの開口間のスラブの下にケーブルを配置する方法に関する。
【０００２】
この場合及び本文を通して、「ケーブル」という語は、ロープ、電気ケーブル及び／又は光ケーブル、ホースなどの柔軟な基本装置又は複合装置を指す。
【０００３】
本発明に基づく方法は、スラブの下での人間の介入が不可能であるときに、スラブに形成された２つの開口間のスラブの下にケーブルを配置する必要がある全てのケースで使用することができる。したがって、ただしこれは一例に過ぎないが、この種の方法を使用して、原子力産業における放射性生成物などの液体又は固体有害生成物の長期貯蔵に使用するサイロを閉め切るスラブの下にケーブルを配置することができる。
【０００４】
（従来技術）
添付図面中の図１及び図２に線図的に示すように、液体又は固体生成物１２の長期貯蔵には、寸法が最大１０ｍ、ことによると１０ｍを超える大型の平行六面体又は円筒形コンクリート・サイロ１０が使用される。貯蔵生成物が有害廃棄物であるときにはこれらのサイロに厚いコンクリート保護スラブ１４が被せられる。
【０００５】
採集装置１６は、この種のサイロ１０の中に含まれる廃棄物１２を取り出したり、又はサイロ内の特定の位置で作業を行う必要があるときに使用される。例えばこの採集装置は、固体廃棄物の場合にはグラブ、液体廃棄物の場合には撹拌／ポンピング・ユニットから成る。
【０００６】
採集装置１６はつり上げケーブル１８の下端に固定され、つり上げケーブル１８の上端はつり上げウィンチ２０のドラムに巻かれる。このつり上げウィンチ２０は、スラブ１４の上の、通常はスラブ１４の中心近くに形成される開口２４と整列している採集セル２２の中に配置される。
【０００７】
ピックアップ又はポンプアップされる廃棄物１２が位置する場所と垂直に整列して採集装置１６を配置することができるように、スラブ１４の下にはさらに見えない状態で・ガイド・システムが配置される。
【０００８】
この見えない状態で・ガイド・システムは、つり上げケーブル１８がその上で滑動するガイド装置２６を備える。ガイド装置２６自体は、少なくとも３本の位置調整ケーブル２８（図２には４本のケーブルが示されている）によってサイロ１０内の上部に配置され、サイロ１０内の上部を移動する。それぞれの位置調整ケーブル２８の一端はガイド装置２６に固定される。それぞれのケーブル２８のもう一端は、スラブ１４の周縁部に形成された別の開口３２の上方に開口３２と整列して配置された位置調整ウィンチ３０のドラムに巻かれる。
したがってこの種のガイド・システムでは、それぞれの位置調整ケーブル２８がウィンチ３０に巻きつけられ、次いでスラブ１４の周縁部に形成された開口３２を通りこのスラブの下を通って、最後につり上げケーブル１８のガイド装置２６に固定される。
【０００９】
最初に構築されたときに貯蔵サイロ１０がこの種のつり上げケーブル・ガイド・システム１８を装備していないときには、スラブ１４の下に位置調整ケーブル２８を配置する際に問題が生じ、これらの問題には今のところ有効な解決策がない。これらの問題は、既存のサイロの内部での人間の介入が安全上の理由から不可能であることに起因する。
【００１０】
スラブ１４の中央部に形成された開口２４に隣接してガイド装置２６を最初に配置することは特に問題とはならない。一方、位置調整ケーブル２８によってこのガイド装置２６を周縁部開口３２の上方に配置された位置調整ウィンチ３０に接続する手法は今のところ知られていない。言い換えると、スラブの下でこのスラブを貫通する互いからある距離を置いて配置された２つの開口間に見えない状態でケーブルを渡す方法は知られていない。
【００１１】
（発明の説明）
本発明の目的は、スラブの下に、互いからある距離を置いて配置されたスラブの２つの開口間にケーブルを見えない状態で配置する、言い換えるとスラブの下での人間の介入なしに配置することができる方法である。
【００１２】
本発明によれば、この結果は、スラブの下に、スラブを貫通する第１の開口と第２の開口の間にケーブルを配置する一方法を使用して達成され、この方法は、
第１の開口を通してスラブの下にケーブルを下ろし、標的を第２の開口の方へ回転させる段階、
第２の開口を通してスラブの下に銃を下ろし、銃を標的の方へ回転させる段階、
銃から、ケーブル又はケーブルに接続することができる麻ロープに取り付けられた発射体を発射する段階であって、この発射体が標的によって捕捉される段階、及び
標的を第１の開口を通してスラブよりも上に持ち上げ、ケーブル又は麻ロープを外す段階
を含むことを特徴とする。
【００１３】
ケーブルが十分に軽量で、抗力の影響によって発射の精度が低くなることがないときにはケーブルを発射体に直接に固定することができる。その他の全てのケースでは、後にケーブルに取り付けられる強く軽量な麻ロープが使用される。この麻ロープを使用して、スラブの下にケーブルを引き寄せることができる。
【００１４】
本発明の好ましい一実施形態では、標的が網を支持する枠を備え、発射体がこの網の中に捕集されるように設計された銛である。
都合良く、標的が堅い垂直の棒によって支持体からつり下げられる。次いで標的が、支持体が第１の開口の周囲のスラブの上面と接触するまで下ろされる。
標的の向きを定めるため、支持体に対して棒を自身を中心にして回転させる。より正確には、棒のスラブよりも上の部分に固定された矢印を、スラブの上方に配置され中心が棒上にある固定水平ダイヤルの、第２の開口の方向を指示する目盛と一致させることによって、標的の向きが定められる。
具体的には、第１の開口の上方に位置するウィンチに接続された吊り帯によって標的を下ろすことができる。
【００１５】
本発明の好ましい実施形態では、銃をスラブの下に下ろした後に発射体を銃に装填する。より正確には、第２の開口を貫通する装着ダクトを通して発射体を垂直に挿入することによって銃が上部から装填される。
【００１６】
発射中に麻ロープ又はケーブルが妨害される危険を防ぐため、開口間の距離に少なくとも等しい長さの麻ロープ又はケーブルを発射前に、第２の開口の上方に配置された巻取機からほどいておくことが有利である。
【００１７】
固体廃棄物の上に液体がないときには特に、このように発射前にほどいた長さの麻ロープ又はケーブルを銃の下に配置したボウルの中に入れて、ケーブルが濡れ、これによって発射パラメータの制御が困難になることを防ぐ。
【００１８】
銃を正しい方向まで回転させるため、ストップと接触するまで銃を下げて予め調整した仰角を画定し、第２の開口を通る垂直軸を中心に銃を旋回させることによって銃を回転させ適当な方位角に合わせる。この方位角を決定するため、スラブの上方の銃の旋回軸に固定された針を、スラブの上方に水平に固定され中心がこの旋回軸上にある第２のダイヤル上の第１の開口の方向を指示するマークと一致させる。
発射後、標的を第１の開口を通してスラブの上方に引き上げ、麻ロープ又はケーブルを発射体から外す。
発射体を、設置するケーブルではなく麻ロープに固定するときには、麻ロープのもう一端をケーブルの第１端に固定し、ケーブルの第１端が回収されるまで麻ロープを第１の開口を通して引っ張る。
ケーブルが、既存の貯蔵サイロ内の上部に設置するブラインド・ガイド・システムの一部を形成するときには、ケーブルのもう一端を第２の開口の上方に位置するウィンチに固定する。
【００１９】
次に非限定的な例として、本発明の好ましい実施形態を添付図面を参照して定義する。
【００２０】
（発明の好ましい実施形態の詳細な説明）
次に図３及び図４を参照して、図１及び図２のサイロ１０の中で使用されるガイド・システムの位置調整ケーブル２８のうちの１本を人間の介入なしに配置するのに応用した本発明に基づく方法の好ましい実施形態を説明する。
【００２１】
この方法は、発射体、この場合には銛４０を標的４２に向かって発射する圧縮空気銃などの銃３８の使用に基づく。より正確には銃３８及び標的４２をそれぞれ開口３４及び２４を通してスラブ１４の下に挿入し、互いの方を向くように回転させる。次いで銃を発射し、これによって銛４０を標的４２に捕捉させる。銛は、麻ロープ４４を開口３４を介して引っ張っていく。麻ロープの反対側の端は第２の開口３４の上方に位置する自動巻取機４６に収容されている。
【００２２】
発射後、第１の開口２４を通して標的４２を採集セル２２（図３には縮尺を小さくして示した）の中に持ち上げ、麻ロープ４４を銛４０から外す。次いで、スラブ１４の下に設置するケーブル２８（図１及び図２）の第１端を麻ロープ４４の反対側の端に固定し、次いでケーブル２８の第１端が採集セル２２の中に位置するまで麻ロープを第１の開口２４を通して引き上げる。次いでケーブル２８の第１端をガイド装置２６に取り付ける。ケーブル２８の反対側の端は依然として同じ第２の開口３４の中を通っており、第２の開口３４の上方でこの反対側の端を、図１及び図２を参照して先に説明したとおり対応するウィンチ３２に固定する。
【００２３】
図３に具体的に示されているように標的４２は、第１の開口２４を自由に通過することができる大きさの長方形、環形又はその他の形状の枠４８を備える。枠４８は、銛４０が枠４８を通過したときに銛４０がその中に捕捉されるように配置された網５０を支持する。このように形成された標的４２を、サッカー場のゴールと比較することができる。しかし網５０を水平にしたとき網５０の水平な上部は無用であり、そのため必要ならばこの部分を排除することができる。
【００２４】
標的４２は堅い垂直棒５２の下端に、標的の開いた前面がほぼ垂直な平面内に位置するように固定される。
棒５２の上端は、第１の開口２４の上方に配置されるように設計された支持体５４に装着される。より正確には、支持体５４が、標的４２がスラブ１４よりも下に位置するときにスラブ１４の上面の第１の開口２４の周囲に載置されるように配置された少なくとも３つのスタンドを備える。これによって棒５２は開口２４の中をほぼその中心線に沿って通る。
【００２５】
棒５２の上部は、支持体５４がスラブ１４上に支持されたときに棒５２がその垂直軸を中心に自由に回転することができるように支持体５４の中に設置される。この配置によって、スラブ１４の上方に位置するオペレータは標的４２を第２の開口３４の方に、したがって後に説明するように銃３８の方へ回転させることができる。
【００２６】
標的４２を開口２４を通してスラブ１４の下に挿入し、支持体５４をスラブ上に配置するため、棒５２の上端は、採集セル２２の中に位置するウィンチ５８に固定された吊り帯５６からつり下げられる。
標的４２をつるすウィンチ５８は、図１を参照して先に説明したつり上げウィンチ２０と同じものでもよいし、又は同じ走行クレーンに装着された別のウィンチでもよい。標的４２を開口２４を通してスラブ１４の下に下ろすとき、ウィンチ５８はこの開口と垂直に整列して配置される。
【００２７】
図３に示した実施形態では銃３８が、「マルチエフェクト・ニューマティック・ランチャ（ｍｕｌｔｉ−ｅｆｆｅｃｔ  ｐｎｅｕｍａｔｉｃ  ｌａｕｎｃｈｅｒ）」型の圧縮空気銃である。銃本体３８は、水平な軸６２を介してプランジャ６０に蝶番連結される。プランジャ６０自体は、リング６４の中に形成されたスライド６３の内部で垂直に移動することができるように設置される。リング６４は、発射をここから実施しなければならない第２の開口３４の中に、この開口の垂直軸を中心に旋回することができるように設置される。そのためリング６４は、開口３４にはめ込むことができる取外し可能な管状支持体６６の中にベアリング６８を介して装着される。
【００２８】
スラブ１４の上方の領域からハンドル車７０を使用して銃３８を制御することによって、銃３８を軸６２を中心に旋回させることができる。操縦輪７０を回すことで、適当な機構、例えばスピンドル上に中心があり、銃３８の本体に接続された歯車とかみ合ったウォーム・スクリュを介して銃３８を軸６２を中心に旋回させる。
【００２９】
銃３８には、リング６４の内部に配置されたホース７４を介して銃に接続された、スラブ１４上に位置する圧縮機又は圧縮空気シリンダ７２によって圧縮空気が供給される。このホース７４は、発射圧を調整することができるマノメータ７６を備える。
【００３０】
発射を開始するため、銃３８は膨張チャンバを形成するジャックを装備するか、又はやはりリング６４の中を通る電源ケーブル８０を介して表から制御される。
【００３１】
垂直スライド６３に隣接してリング６４はさらに、下部が開きその中を銛４０が通過するダクト８２を含む。したがって軸６２を中心に銃３８を銃身が上を向くように上方へ旋回させると、（銛４０の着いていない）銃３８をダクト８２の中に挿入することができる。
【００３２】
スラブ１４よりも上に位置するダクト８２の上部を使用して、銛４０を銛の前部が上を向くように含める。この銛の準備位置が図３の符号４０（１）で示されている。
【００３３】
やはり開いているダクト８２の上端を使用して、一端が銛４０に固定された麻ロープ４４を通す。麻ロープの全長の大部分はダクト８２の上方に位置する巻取機４６に巻かれている。
【００３４】
管状支持体６６は、リング６４の上に支持されたプラグ８４によってスラブ１４の上面のところで閉じられている。ダクト８２、ホース７４、電源ケーブル８０、及び軸６２を中心とした銃３８の旋回を制御する機構は全てこのプラグ８４を貫通する。
【００３５】
さらに、スラブ１４の上方の領域から制御された一機構（図示せず）がプラグ８４を貫通し、リング６４の中に設置されたスライドの内部でプランジャ６０が垂直に移動することを可能にする。
【００３６】
スラブ１４の上方でプラグ８４はさらに、特にハンドル車７０及び巻取機４６が位置する構造体８５を支持する。
【００３７】
プランジャ６０に接続された予め調整されたストップ８６が、銃が軸６２を中心に旋回するときに銃３８が傾くことができる範囲をその垂直位置から図３に示した発射位置までに制限する。
【００３８】
図３に示すようにプランジャ６０はさらに銃３８の下のプランジャの下端に、発射に必要な長さの麻ロープ４４を発射前に後に説明する特定の状態で含むことができるボウル８７を支持することができる。
【００３９】
図４に詳細に示すように本発明の好ましい実施形態では、銛４０が、いくつか（例えば４つ）の歯９０をその前端に備えた軽合金製の棒８８を含む。より正確には歯９０は棒８８の前端から初め外側に延び、次いで棒８８に平行に後方に延びる。衝撃吸収ストップを形成する端片９２が棒８８の前端のくぼみに挿入されている。この端片は例えばゴム製であり、銛がサイロ・タンクを傷つけるのを防ぐ。
【００４０】
例えば「Ｎｙｌｏｎ」（登録商標）製の推力ピストン９４が例えばねじ９６によって棒８８の後端に固定される。このピストン９４は、発射を制御しているときに銃３８の円筒形のチャンバにはめ込まれ、銛を推進するように設計されている。
【００４１】
ピストン９４の近くの棒８８の周囲にらせん形の溝９８が機械加工されている。この溝９８は銛に麻ロープ４４の一端を固定する。従って、リング１００が溝９８の端部を取り囲む。
【００４２】
図１及び図２のケーブル２８のうちの１本を配置するのに応用した本発明に基づくケーブルの配置方法は、図３を参照して以下に説明するように使用される。
【００４３】
まず標的４２を、第１の開口２４を通してスラブ１４よりも下の必要な高さまで下ろす。標的は、ウィンチ５８を開口２４の上方の位置に配置した後にウィンチ５８によって下ろす。この操作は、支持体のスタンド５４がスラブ１４の上面の開口２４の周囲に位置したときに終了させる。
【００４４】
次いでオペレータは、そこからケーブル２８を挿入しなければならない、したがってそこから銛４０を発射しなければならない第２の開口３４の方に標的４２を向ける。この回転は、その中心が標的４２を支持する棒５２の上にくるようにスラブ上に置かれスラブ１４に対して固定された目盛付き水平ダイヤル（図示せず）を使用して実施する。さらに、棒５２のこの固定されたダイヤルのすぐ上の部分に標的の枠４８の平面及び棒５２に垂直に固定された矢印（図示せず）を使用する。オペレータはこの矢印を、発射を実施する第２の開口３４の方向を指示するダイヤルの目盛に一致させるだけでよく、これによって棒が回転し、棒が最適な方向を向く。
【００４５】
標的４２を所定の位置に配置し回転させる段階の前、この段階の最中、又はこの段階の後に実施する別の段階の間に、第２の開口３４を通して銃３８をスラブ１４の下に挿入する。これは、銃３８を垂直位置にし、銃がダクト８２の内部にダクトと同軸に配置されるようにプランジャ６０をスライド６３の内部の高い位置に置くことによって実施する。この状態で、リング６４を介して銃３８を支持する管状支持体６６を開口３４の中に入れる。
【００４６】
麻ロープ４４は、水上スキーのロープに使用される材料などの非湿潤性の浮かぶ材料製であるように設計することが有利であり、巻取機を引っ張ることなく発射できるだけの十分な長さのロープを巻取機４６からほどく。実際に巻取機４６からほどく麻ロープ４４の長さは、少なくとも開口２４と３４の間の距離に等しい。
この操作は、発射中の巻取機４６の妨害を防ぐように設計されたものであり、麻ロープ４４をほどき、この目的のため銃３８の下に設置されたボウル８７内でロープを巻くことによって実施する。
【００４７】
次いで麻ロープ４４が固定された銛４０を垂直ダクト８２を通して銃３８に装着する。麻ロープを巻取機４６からほどくのは、この装着操作の前でも後でもよいことに留意されたい。
【００４８】
次いで銃３８を図３に示す発射位置に導く。これは、リング６４の中にはめ込まれたスライド６３の中の予め調整した低位置までプランジャ６０を下げ、銃３８の高さをスラブ１４の下の標的４２の高さとほぼ同じにすることによって実施する。次いで銛４０を装着した銃３８を、軸６２を中心に垂直面内で水平よりもわずかに上向きの発射位置まで下方に旋回させる。この発射位置は、銃本体が、予め調整したストップ８６と接触したときに固定される。これは、予め調整した発射時に銃身と水平面との間に形成される仰角に対応する。
【００４９】
次いで銃３８の方位角を合わせる。言い換えると銃が標的４２の方を向くように発射方向を調整する。具体的にはこの調整は、スラブ１４の上方に位置し、その中心が銃の垂直旋回軸、この場合には開口３４の中心線と一致した旋回軸上に位置する固定された目盛付き水平ダイヤル（図示せず）を使用して実施することができる。このダイヤルのマーカ点は第１の開口２４の正確な方向を指示する。このダイヤルの直ぐ上に位置する針（図示せず）を銃の垂直回転軸に固定し、したがって銃の方位角に固定する。次いでオペレータは、針がダイヤル上のマーカ点と一致するように銃３８をその垂直軸を中心に回転させる。このとき銃は間違いなく標的４２を指している。符号４０（２）及び４４（２）はそれぞれ、この操作が終了したときの銛及び麻ロープの状態を表す。
【００５０】
次の段階では発射の前に銃３８の圧力チャンバ内の圧力を必要な値に変更する。この圧力は、銃３８から標的４２までの距離及び銛４０の軌道のふれが考慮されるようにサイロの寸法特性を考慮に入れて調整し、実施される全ての発射が直線発射となるようにする。この圧力は、銃の圧力チャンバの供給ホース７４に取り付けられたマノメータ７６によって調整する。
【００５１】
次いで、終始スラブ１４の上方にいるオペレータが発射の引き金を引く。銛４０から成る発射体は標的４２の枠４８を通過し、回収網５０によって捕捉される。銛４０は移動するときに、予めほどいておいた長さの麻ロープ４４を引っ張っていく。この麻ロープは強いが、できるだけ軽量になるよう十分に細い。麻ロープ４４の重量は、銛の発射精度が低くならないように決定する。図３の符号４０（３）及び４４（３）はそれぞれ発射後の銛及び麻ロープを示す。
【００５２】
次いでウィンチ５８を使用し第１の開口２４を通して標的４２を引き上げる。次いで銛４０及び銛に固定された麻ロープ４４の第１端を回収する。次いで採集セル２２の中に回収された麻ロープ４４のこの第１端を銛４０から外す。
【００５３】
次いで、この時点まで巻取機４６に取り付けられていた麻ロープ４４のもう一端をこの巻取機から外し、配置するケーブル２８（図１及び図２）の第１端に固定する。次いでこのケーブル２８の反対側の端を、スラブ１４上の第２の開口３４の近くに取り付けられた位置調整ウィンチ３０に固定する。
【００５４】
次いで採集セル２２内に位置する麻ロープの端を、ケーブル２８の第１端が第１の開口２４を通して取り込まれるまで引っ張る。
【００５５】
ケーブル２８を図１及び図２に示すように配置する適用では、次いでケーブル２８のこの第１端をガイド装置２６に固定し、これまでに説明した全ての操作を、その他の全てのケーブル２８が設備内の所定の位置に配置されるまで繰り返す。次いでガイド装置２６を開口２４を通してスラブ１４の下に挿入し、ガイド装置２６が開口２４と垂直にほぼ整列するまでケーブル２８を位置調整ウィンチ３２を使用して張る。
【００５６】
しかし本発明に基づく方法はこの適用に限定されるわけではない。それどころかこの方法は、スラブの下でこのスラブの比較的に離れた２つの開口間にケーブルを配置する必要があり、スラブの下での人間の介入が不可能である全ての場合に使用することができる。
【００５７】
挿入するケーブルの機械強度及び重量が説明した適用での麻ロープ４４の特性に匹敵する場合には、ケーブルを銛４０に直接に固定することができる。次いで発射後にケーブルを直接に配置し、標的をスラブの上に引き上げる。
【００５８】
最後に、銛及び網の使用はこの方法の効率的な働きを保証するが、本発明の枠組みを逸脱することなく異なる種類の標的に関連したその他の発射体を使用することもできることに留意されたい。
【図面の簡単な説明】
【図１】  ブラインド・ガイド・システムによって位置調整が制御された採集装置がその中に設置された有害生成物貯蔵サイロを表す側面図である。
【図２】  ガイド・システムの位置調整ケーブルのレイアウトを特に示す図１のサイロの上面図である。
【図３】  設置するケーブルが図１及び図２のサイロで使用されるガイド・システムの位置調整ケーブルである場合に、本発明に基づく方法に基づいてスラブの下にケーブルを配置する様子を示す部分縦断面図である。
【図４】  本発明に基づく方法に基づいてケーブルを配置するのに使用する銛の縦断面図である。
【図１】
0004268757.tif 000002
【図２】
0004268757.tif 000003
【図３】
0004268757.tif 000004
【図４】
0004268757.tif 000005